【手続補正書】
【提出日】平成18年10月6日(2006.10.6)
【手続補正１】
【補正対象書類名】明細書
【補正対象項目名】特許請求の範囲
【補正方法】変更
【補正の内容】
【特許請求の範囲】
【請求項１】  通信システムの第１の放射パターン構成から第２の放射パターン構成への遷移の方法において、第１の放射パターン構成から第２の放射パターン構成への遷移の影響を受ける通信システム内で動作する通信装置が、該遷移を検出してそれ相応の反応を示す能力をもつ方法であって、
前記第１の放射パターン構成から前記第２の放射パターン構成までの遷移による影響を受ける通信システムのアンテナビームを決定する段階と、
前記遷移の影響を受けるものとして決定されたアンテナビームの放射パターンを改変する段階と、
を含む方法において、
前記放射パターンを一定の時間にわたり変えることによって前記アンテナビームの放射パターンを改変することにより、前記一定の時間は、前記通信装置がサービスの中断なく遷移を検出できるようにするのに充分であるように決定され、
これによって、放射パターン（３１１）が、第１のセクタのαセクタ信号を受取る旧セクタ構成から放射パターン（３１１）が隣接する第２のセクタのγセクタ信号を受取る新セクタ構成へのセクタ構成の遷移を変えるステップが、次のステップ
（ａ）放射パターン（３１１）が、二者択一的にγセクタ信号を提供され、その後γセクタ信号を再び受取る前にαセクタ信号を提供される、
（ｂ）遷移エリア付近の第１のアンテナビームであって、放射振幅の減少まで第１のセクタのαセクタ信号を受取る第１のアンテナビームと、
第２のアンテナビームであって、この第２のアンテナビームの放射パターン（３１１）を後で再び正常に戻す前に、放射パターン（３１１）に前記新セクタ構成と結び付けられたセクタ信号が提供されるまで、かつ放射振幅の増加まで、第２のセクタのγセクタ信号を受取る第２のアンテナビームと、
を決定することによって、振幅テーパリング位相の間セクタ構成の遷移を変化させる、
（ｃ）前記放射パターン（３１１）が、遷移の間にα信号とγ信号とを同時に供給される、
（ｄ）前記第２のアンテナビームの放射パターン（３１１）を後で再び正常に戻す前に、放射パターン（３１１）に前記新セクタ構成と結び付けられたセクタ信号が提供されるまで、かつ放射形状および／またはサイズの増加まで、γセクタ信号を受取るアンテナビームを決定することによって、位相調整位相の間セクタ構成の遷移を変化させる、
（ａ）（ｂ）（ｃ）（ｄ）のステップのうちの少なくとも１つまたは１つ以上のステップを含む方法。
【請求項２】  改変された第２の放射パターン構成で動作するべく遷移中に前記通信装置を調整する段階、
をさらに含む、請求項１記載の方法。
【請求項３】  前記方法内で使用するために前記通信装置を特定的に適合させることなく前記通信装置において検出可能な通信条件を提供する段階が前記改変段階に含まれている、請求項１記載の方法。
【請求項４】  遷移による影響を受けるものとして決定されたアンテナビームが複数のアンテナビームを内含している場合、改変段階には、第２のアンテナビームが第１のアンテナビームと同時に改変されるような形でアンテナビームを並行して改変する段階が含まれている、請求項１記載の方法。
【請求項５】  遷移による影響を受けるものとして決定されたアンテナビームが複数のアンテナビームを内含している場合、改変段階には、第２のアンテナビームの放射が第１のアンテナビームの改変の完了後に改変されるような形でアンテナビームを逐次的に改変する段階が含まれている、請求項１記載の方法。
【請求項６】  遷移による影響を受けるものとして決定されたアンテナビームが複数のアンテナビームを内含している場合、改変段階には、第２のアンテナビームの改変の開始が第１のアンテナビームの改変の開始の後に始まるような形でアンテナビームの改変をカスケード式にする段階が含まれており、第２のアンテナビームの改変の開始が第１のアンテナビームの改変の終了より以前に起こる、請求項１記載の方法。
【請求項７】  改変段階には、遷移による影響を受けるものとして決定されたアンテナビーム内の第２の放射パターン構成の信号の放射と第１の放射パターン構成の信号の放射を交番させる段階が含まれている、請求項１記載の方法。
【請求項８】  改変段階には、さらに、通信装置が遷移を検出できるようにするのに充分なものであると決定された時間が満たされた後で、遷移による影響を受けるものとして決定されたアンテナビーム内で第２の放射パターン構成の信号を放射する段階が含まれている請求項７記載の方法。
【請求項９】  交番段階には、第２の放射パターン構成の信号の交番された放射のドウエル時間を増大させる一方で、第１の放射パターン構成の信号の交番された放射のドウエル時間を短縮させる段階が含まれている、請求項７記載の方法。
【請求項１０】  遷移による影響を受けるものとして決定されたアンテナビームに複数のアンテナビームが内含されている場合、交番段階にはさらに、第２のアンテナビームの信号の交番された放射のドウエル時間を短縮させることとは分離した、第１のアンテナビームの信号の交番された放射のドウエル時間の短縮段階が含まれている請求項９記載の方法。
【請求項１１】  決定段階では、放射振幅が減少させるべき第１のアンテナビーム、及び放射振幅が増大させるべき第２のアンテナビームが決定される、請求項１記載の方法。
【請求項１２】  改変段階には、第２のアンテナビームの放射振幅を増大させる一方で第１のアンテナビームの放射振幅を減少させる段階が含まれている、
請求項１１記載の方法。
【請求項１３】  改変段階にはさらに、通信装置が遷移を検出できるようにするのに充分なものであると決定された時間が満たされた後で、遷移による影響を受けるものとして決定されたアンテナビーム内で第２の放射パターン構成の信号を放射する段階が含まれている請求項１２記載の方法。
【請求項１４】  第２の放射パターン構成が実質的に満たされてしまうまで遷移による影響を受けるものとして決定されたアンテナビーム内の第１の放射パターン構成の信号を変動させる段階が改変段階に含まれており、ここで信号の変動によって、第２の放射パターン構成の特性をエミュレートするのに利用される放射パターン構成内のヌル及びピークが作り出される、請求項１記載の方法。
【請求項１５】  改変段階にはさらに、通信装置が遷移を検出できるようにするのに充分なものであると決定された時間が満たされた後で、遷移による影響を受けるものとして決定されたアンテナビーム内で第２の放射パターン構成の信号を放射する段階が含まれている請求項１４記載の方法。
【請求項１６】  改変段階には、
遷移による影響を受けるものとして決定されたアンテナビーム内の第２の放射パターン構成の信号の放射と第１の放射パターン構成の信号の放射を交番させる段階、
第２のアンテナビームの放射振幅を増大させる一方で第１のアンテナビームの放射振幅を減少させる段階、
遷移による影響を受けるものとして決定されたアンテナビーム内で複合信号を放射する段階であって、ここで該複合信号が第１の放射パターン構成の信号及び第２の放射パターン構成の信号を同時に提供する段階、及び
第２の放射パターン構成が実質的に満たされてしまうまで遷移による影響を受けるものとして決定されたアンテナビーム内の第１の放射パターン構成の信号を変動させる段階であって、ここで信号の変動によって、第２の放射パターン構成の特性をエミュレートするのに利用される放射パターン構成内のヌル及びピークが作り出される段階、
から成る群の中から選ばれた少なくとも２つの段階が内含されている、
請求項１１記載の方法。
【請求項１７】  第１のアンテナビームアレイを第２のアンテナビームアレイへと変形するための通信システムであって、通信システム内の通信装置が該変形の影響を受け、アンテナビームの変形は該通信装置によって検出可能であり、
変形を実現するべく通信システムのアンテナビームを決定するための手段、及び
変形による影響を受けるものとして決定されたアンテナビームを操作するため通信装置が変形を検出できるようにするのに充分であるものとして決定された時間全体にわたり動作可能な手段、
を含んで成る通信システムにおいて、
前記放射パターンを一定の時間にわたり変えることによって前記アンテナビームの放射パターンを改変することにより、前記一定の時間を、前記通信装置がサービスの中断なく遷移を検出できるようにするのに充分であるように決定する決定手段を備え、
これによって、放射パターン（３１１）が、第１のセクタのαセクタ信号を受取る旧セクタ構成から放射パターン（３１１）が隣接する第２のセクタのγセクタ信号を受取る新セクタ構成へのセクタ構成の遷移を変える手段が、次の手段
（ａ）放射パターン（３１１）が、二者択一的にγセクタ信号を提供され、その後γセクタ信号を再び受取る前にαセクタ信号を提供されることを許容する、
（ｂ）遷移エリア付近の第１のアンテナビームであって、放射振幅の減少まで第１のセクタのαセクタ信号を受取る第１のアンテナビームと、
第２のアンテナビームであって、この第２のアンテナビームの放射パターン（３１１）を後で再び正常に戻す前に、放射パターン（３１１）に前記新セクタ構成と結び付けられたセクタ信号が提供されるまで、かつ放射振幅の増加まで、第２のセクタのγセクタ信号を受取る第２のアンテナビームと、
を決定することによって、振幅テーパリング位相の間セクタ構成の遷移を変化させることを許容する、
（ｃ）前記放射パターン（３１１）が、遷移の間にα信号とγ信号とを同時に供給されることを許容する、
（ｄ）前記第２のアンテナビームの放射パターン（３１１）を後で再び正常に戻す前に、放射パターン（３１１）に前記新セクタ構成と結び付けられたセクタ信号が提供されるまで、かつ放射形状および／またはサイズの増加まで、γセクタ信号を受取るアンテナビームを決定することによって、位相調整位相の間セクタ構成の遷移を変化させることを許容する、
（ａ）（ｂ）（ｃ）（ｄ）の手段のうちの少なくとも１つまたは１つ以上の手段を含む方法。
【請求項１８】  信号マニピュレータの制御は、通信システム内の通信装置がその標準的動作アルゴリズムに従って第１の放射パターン構成から第２の放射パターン構成までの修正を検出できるようにするべく選択されている、請求項１７記載の通信システム。
【請求項１９】  通信装置が、
移動体無線ユニット、
基地局無線ユニット、
セルラー電話、
ページャ、及び
パーソナル通信サービス装置、
から成る群の中から選択されている、請求項１７記載の方法。
【請求項２０】  放射パターントランスジューサが、
信号マニピュレータから電子信号を受理しそれらを組合わせて複数の放射信号を形成するビーム形成マトリクス、及び
各々のアンテナが複数の放射信号のうちの特定の１放射信号を受理し、信号を放射して複数の放射パターンのうちの少なくとも一部分を形成するアンテナアレイ、
を含んで成る、請求項１７記載の通信システム。
【請求項２１】  前記制御手段にはプロセッサベースのシステムが内含されている、請求項１７記載の通信システム。
【請求項２２】  前記制御手段には、第２の放射パターン構成内の１つの割当てとは異なる第１の放射パターン構成内の割当てをもつ放射パターンが第１の割当てと第２の割当ての間で交番するような形で、信号マニピュレータの動作を定義づける命令セットが内含されている、請求項１７記載の通信システム。
【請求項２３】  信号マニピュレータが、
少なくとも１つの制御可能なスイッチマトリクス、及び
複数の制御可能な減衰器、
から成る群の中から選択された回路を含んで成る、請求項２２記載の通信システム。
【請求項２４】  前記制御装置手段には、第２の放射パターン構成内の割当てと同じ第１の放射パターン構成内の割当てをもつ第２の放射パターンの振幅が増大する一方で第２の放射パターン構成内の割当てと異なる第１の放射パターン構成内の割当てをもつ第１の放射パターンの振幅が減少するような形で、信号マニピュレータの動作を定義づける１つの命令セットが内含されている、請求項１７記載の通信システム。
【請求項２５】  信号マニピュレータが複数の制御可能な減衰器を含んで成る、請求項２４記載の通信システム。
【請求項２６】  前記制御装置手段には、第２の放射パターン構成内の割当てとは異なる第１の放射パターン構成内の割当てをもつ放射パターンが第１の割当てを第２の割当てと組合せるような形で信号マニピュレータの動作を定義づけする１つの命令セットが内含されている、請求項１７記載の通信システム。
【請求項２７】  信号マニピュレータが、
少なくとも１つの制御可能なスイッチマトリクス、及び
複数の制御可能な減衰器、
から成る群の中から選択された回路を含んで成る、請求項２６記載の通信システム。
【請求項２８】  前記制御装置手段には、第２の放射パターン構成内の割当てとは異なる第１の放射パターン構成内の割当てをもつ第１の放射パターン及び第２の放射パターン構成内の割当てと同じ第１の放射パターン構成内の割当てをもつ第２の放射パターンが、第１の放射パターンと第２の放射パターンの間でヌルを移動させることによって再度方向づけされるような形で信号マニピュレータの動作を定義づけする１つの命令セットが内含されている請求項１７記載の通信システム。
【請求項２９】  信号マニピュレータは、
複数の制御可能なスイッチマトリクス及び複数の移相器、及び
制御可能なビーム形成マトリクス、
から成る群の中から選択された回路、
を含んで成る、請求項２８記載の通信システム。
【請求項３０】  ビーム形成マトリクスにはバトラーマトリクスが内含されている、請求項２９記載の通信システム。
【請求項３１】  制御装置手段には、第２の放射パターン構成内の割当てと同じ第１の放射パターン構成内の割当てをもつ第２の放射パターンの振幅が増大する一方で第２の放射パターン構成内の割当てと異なる第１の放射パターン構成内の割当てをもつ第１の放射パターンの振幅が減少するような形で信号マニピュレータの動作を定義づける１つの命令セットが内含されており、該命令セットは、第２の放射パターン構成内の割当てと異なる第１の放射パターン構成内の割当てをもつ第１の放射パターンが第１の割当てと第２の割当ての間で交番するような形で信号マニピュレータの動作を定義づけしている、請求項１７記載の通信システム。
【請求項３２】  制御装置手段には、第２の放射パターン構成内の割当てと同じ第１の放射パターン構成内の割当てをもつ第２の放射パターンの振幅が増大する一方で第２の放射パターン構成内の割当てと異なる第１の放射パターン構成内の割当てをもつ第１の放射パターンの振幅が減少するような形で信号マニピュレータの動作を定義づける１つの命令セットが内含されており、該命令セットは、第２の放射パターン構成内の割当てと異なる第１の放射パターン構成内の割当てをもつ第１の放射パターンが第１の割当てと第２の割当てを組合わせるような形で信号マニピュレータの動作を定義づけしている、請求項１７記載の通信システム。
【請求項３３】  制御装置手段には、第２の放射パターン構成内の割当てと同じ第１の放射パターン構成内の割当てをもつ第２の放射パターンの振幅が増大する一方で第２の放射パターン構成内の割当てと異なる第１の放射パターン構成内の割当てをもつ第１の放射パターンの振幅が減少するような形で信号マニピュレータの動作を定義づける１つの命令セットが内含されており、該命令セットは、第２の放射パターン構成内の割当てと異なる第１の放射パターン構成内の割当てをもつ第１の放射パターン及び第２の放射パターン構成内の割当てと同じ第１の放射パターン構成内の割当てをもつ第２の放射パターンが第１及び第２の放射パターンの間でヌルを移動させることによって再度方向づけされるような形で信号マニピュレータの動作を定義づけする、請求項１７記載の通信システム。
【請求項３４】  制御装置手段には、第２の放射パターン構成内の割当てと異なる第１の放射パターン構成内の割当てをもつ放射パターンが第１の割当てと第２の割当ての間で交番するような形で信号マニピュレータの動作を定義づけする命令セットが内含されており、該命令セットは、第２の放射パターン構成内の割当てと異なる第１の放射パターン構成内の割当てをもつ放射パターンが第１の割当てと第２の割当てを組合わせるような形で信号マニピュレータの動作を定義づけする請求項１７記載の通信システム。
【請求項３５】  第２の放射パターン構成で動作するべく変形中に通信装置を調整するための手段をさらに含んで成る請求項１７記載の通信システム。
【請求項３６】  変形内で使用するために通信装置を特定的に適合させることなく通信装置において検出可能な通信条件を提供するための手段が、操作用手段に含まれている、請求項１７記載の通信システム。
【請求項３７】  通信装置が、
移動体無線ユニット、
基地局無線ユニット、
セルラー電話、
ページャ、及び
パーソナル通信サービス装置、
から成る群の中から選択されている、請求項１７記載の通信システム。
【請求項３８】  変形による影響を受けるものとして決定されたアンテナビームが複数のアンテナビームを内含する場合、操作用手段には、アンテナビームを並行して操作するための手段が含まれており、該手段が第２のアンテナビームの放射の操作を第１のアンテナビームの放射の操作と並行して提供する、請求項１７記載の通信システム。
【請求項３９】  変形による影響を受けるものとして決定されたアンテナビームが複数のアンテナビームを内含する場合、操作用手段には、アンテナビームを逐次的に操作するための手段が含まれており、該手段が第１のアンテナビームの放射の操作が完了した後で第２のアンテナビームの放射の操作を提供する、請求項１７記載の通信システム。
【請求項４０】  変形による影響を受けるものとして決定されたアンテナビームが複数のアンテナビームを内含する場合、操作用手段には、アンテナビームの操作をカスケード式にするための手段が含まれており、該カスケード化手段が、第１のアンテナビームの放射の操作の開始後に第２のアンテナビームの放射の操作の開始を提供し、かつ第２のアンテナビームの放射の操作開始が第１のアンテナビームの放射の操作の終了以前に行なわれる、請求項１７記載の通信システム。
【請求項４１】  操作用手段には、変形による影響を受けるものとして決定されたアンテナビーム内の第２のアンテナビームアレイの信号の放射と第１のアンテナビームアレイの信号の放射を交番させる手段が含まれている、請求項１７記載の通信システム。
【請求項４２】  操作用手段にはさらに、通信装置が変形を検出できるようにするのに充分なものであると決定された時間が満たされた後で、変形による影響を受けるものとして決定されたアンテナビーム内で第２の放射パターン構成の信号を放射する手段が含まれている請求項４１記載の通信システム。
【請求項４３】  交番用手段には、第２の放射パターン構成の信号の交番された放射のドウエル時間を増大させる一方で第１のアンテナビームアレイの信号の交番された放射のドウエル時間を短縮させるための手段が含まれている、請求項４１記載の通信システム。
【請求項４４】  変形による影響を受けるものとして決定されたアンテナビームに複数のアンテナビームが内含されている場合、交番用手段にはさらに、第２のアンテナビーム信号の交番された放射のドウエル時間を短縮させることとは分離した、第１のアンテナビームの信号の交番された放射のドウエル時間の短縮用の手段が含まれている請求項４３記載の通信システム。
【請求項４５】  決定用手段は、振幅を減少させるべき第１のアンテナビーム、及び振幅を増大させられるべき第２のアンテナビームを決定する、請求項１７記載の通信システム。
【請求項４６】  操作用手段には、第２のアンテナビームの振幅を増大させる一方で第１のアンテナビームの振幅を減少させる手段が含まれている、請求項４５記載の通信システム。
【請求項４７】  操作用手段にはさらに、通信装置が変形を検出できるようにするのに充分なものであると決定された時間が満たされた後で、変形による影響を受けるものとして決定されたアンテナビーム内で第２のアンテナビームアレイの信号を放射する手段が含まれている請求項４６記載の通信システム。
【請求項４８】  操作用手段には変形による影響を受けるものとして決定されたアンテナビーム内で複合信号を放射するための手段が含まれており、ここで該複合信号は第１のアンテナビームアレイの信号及び第２のアンテナビームアレイの信号の放射を内含している請求項１７記載の通信システム。
【請求項４９】  操作用段階にはさらに、通信装置が変形を検出できるようにするのに充分なものであると決定された時間が満たされた後で、変形による影響を受けるものとして決定されたアンテナビーム内で第２のアンテナビームアレイの信号を放射する手段が含まれている請求項４８記載の通信システム。
【請求項５０】  操作用手段には、第２のアンテナビームアレイが実質的にエミュレートされてしまうまで変形による影響を受けるものとして決定されたアンテナビーム内の第１のアンテナビームアレイの信号を変動させるための手段が含まれており、ここで信号の変動によって、放射パターン構成内にヌル及びピークが作り出される、請求項１７記載の通信システム。
【請求項５１】  操作用手段にはさらに、通信装置が変形を検出できるようにするのに充分なものであると決定された時間が満たされた後で、変形による影響を受けるものとして決定されたアンテナビーム内で第２のアンテナビームアレイの信号を放射するための手段が含まれている請求項５０記載の通信システム。
【請求項５２】  操作用手段には、
変形による影響を受けるものとして決定されたアンテナビーム内の第２のアンテナビームアレイの信号の放射と第１のアンテナビームアレイの信号の放射を交番させるための手段、
第２のアンテナビームの放射振幅を増大させる一方で第１のアンテナビームの放射振幅を減少させるための手段、
変形による影響を受けるものとして決定されたアンテナビーム内で複合信号を放射するための手段であって、ここで該複合信号が第１のアンテナビームアレイの信号及び第２のアンテナビームアレイの信号の放射の同時伝送を提供する手段、及び
第２のアンテナビームアレイが実質的に満たされてしまうまで変形による影響を受けるものとして決定されたアンテナビーム内の第１のアンテナビームアレイの信号を変動させるための手段であって、ここで信号の変動によって、放射パターン構成内にヌル及びピークが作り出される手段、
から成る群の中から選ばれた少なくとも２つの実施態様が内含されている、
請求項４５記載の通信システム。
【請求項５３】  複数の入力信号が、前記遷移システムの予め定義されたエリアと結びつけられた複数の放射パターンを形成する電磁波に転換されるセクター成形遷移システムにおいて、
複数の放射信号を前記電磁波に転換し前記複数の放射パターンを結果としてもたらすアンテナアレイ、
前記複数の入力信号を前記複数の放射信号に組合せ、前記複数の放射信号を前記アンテナアレイまで導く、前記アンテナアレイに結合されたビーム形成マトリクス、
通信機器から前記複数の入力信号を受理し、前記複数の入力信号を前記ビーム形成マトリクスまで制御可能な形で導く、前記ビーム形成マトリクスに結合された制御可能な切換え用機器、及び
前記制御可能な切換え用機器に対し制御信号を提供する、前記制御可能な切換え機器に結合されたプロセッサベースのシステムであって、前記制御信号が、第１の放射パターン構成を第２の放射パターン構成まで変形する前記複数の放射パターンを結果としてもたらすべく前記複数の入力信号を前記ビーム形成マトリクスへと導くように前記制御可能な切換え用機器を制御し、前記変形は、前記変形による影響を受ける前記遷移システム内のセルラー電話をユーザーが適合することなく前記改変を検出できるような形で行なわれる、
プロセッサベースのシステム、
を含み、
前記制御可能な切換え用機器が、複数の（１×Ｎ）スイッチマトリクスを含んで成り、前記複数の（１×Ｎ）スイッチマトリクス内の（１×Ｎ）スイッチマトリクスの数は、前記複数の入力信号内の前記入力信号の数に等しく、Ｎは前記複数の放射パターン内の放射パターン数に等しい、遷移システム。
【請求項５４】  前記ビーム形成マトリクスには、複数の信号コンバイナが含まれ、該複数の信号コンバイナ内の信号コンバイナの数はＮに等しく、前記複数の信号コンバイナ内の各信号コンバイナが前記複数の（１×Ｎ）スイッチマトリクス内の各々の（１×Ｎ）スイッチマトリクスに結合されている、請求項５３記載の遷移システム。
【請求項５５】  前記複数の放射パターン内の１つの放射パターンが第１の放射パターン信号と第２の放射パターン信号の間で交番するような形で前記制御信号が前記複数の（１＋Ｎ）スイッチマトリクスを制御する、請求項５４記載の遷移システム。
【請求項５６】  前記制御信号は、前記複数の放射パターン内の１つの放射パターンが第２のＰＲ信号と第１の放射パターン信号を組合わせるような形で前記複数の（１×Ｎ）スイッチマトリクスを制御する、請求項５５記載の遷移システム。
【請求項５７】  複数の入力信号が、前記遷移システムの予め定義されたエリアと結びつけられた複数の放射パターンを形成する電磁波に転換されるセクター整形遷移システムにおいて、
複数の放射信号を前記電磁波に転換し前記複数の放射パターンを結果としてもたらすアンテナアレイ、
前記複数の入力信号を前記複数の放射信号に組合せ、前記複数の放射信号を前記アンテナアレイまで導く、前記アンテナアレイに結合されたビーム形成マトリクス、
前記ビーム形成マトリクスに結合された複数の制御可能な操作装置、
通信機器から前記複数の入力信号を受理し、前記複数の入力信号を前記複数の制御可能な操作装置を通して前記ビーム形成マトリクスへと導く、前記複数の制御可能な操作装置に結合されたスプリッタ、及び
前記ビーム形成マトリクスにより受理される前に前記複数の入力信号を操作するべく前記複数の制御可能な操作装置に制御信号を提供する、前記複数の制御可能な操作装置に結合されたプロセッサベースのシステムであって、前記制御信号が、第１の放射パターン構成から第２の放射パターン構成まで進行する複数の放射パターンを有し、この進行は、前記改変による影響を受ける該遷移システム内のセルラー電話がユーザーによる適合なく前記改変を検出できるような形で行なわれる、プロセッサーベースシステム、
を含み、
前記スプリッターが、複数の（１×Ｎ）スイッチマトリクスを含んで成り、前記複数の（１×Ｎ）スイッチマトリクス内の（１×Ｎ）スイッチマトリクスの数は、前記複数の入力信号内の前記入力信号の数に等しく、Ｎは前記複数の放射パターン内の放射パターン数に等しい、遷移システム。
【請求項５８】  前記ビーム形成マトリクスには、複数の信号コンバイナが含まれ、該複数の信号コンバイナ内の信号コンバイナの数はＮに等しい、請求項５７記載の遷移システム。
【請求項５９】  前記複数の制御可能な操作装置が、複数の減衰器を含んで成り、その中の減衰器の数はＮにＭを乗じた数に等しく、ここでＭは前記複数の入力信号内の入力信号の数であり、各々の信号コンバイナは前記複数の減衰器内のＭ個の減衰器のグループに結合され、前記Ｍ個の減衰器のグループのうちの各々の減衰器は（１×Ｎ）スイッチマトリクスの別々のスイッチマトリクスに結合されている、請求項５８記載の遷移システム。
【請求項６０】  前記複数の放射パターン内の１つの放射パターンが第１の放射パターン信号と第２の放射パターン信号の間で交番するような形で前記制御信号が前記減衰器を制御する、請求項５９記載の遷移システム。
【請求項６１】  前記複数の放射パターン内の第２の放射パターンの振幅が減少する一方で前記複数の放射パターン内の第１の放射パターン信号の放射振幅が増大するような形で、前記制御信号が前記減衰器を制御する、請求項５９記載の遷移システム。
【請求項６２】  前記複数の放射パターン内の放射パターンが第１の放射パターン信号を第２の放射パターン信号と組合せるような形で、前記制御信号が前記減衰器を制御する請求項５９記載の遷移システム。
【請求項６３】  前記複数の制御可能な操作装置が、複数の移相器を含んで成り、前記複数の移相器内の移相器の数は、ＮにＭを乗じた数に等しく、ここでＭは前記複数の入力信号内の入力信号の数であり、各々の信号コンバイナは前記複数の移相器内のＭ個の移送器のグループに結合され、前記Ｍ個の移送器のグループのうちの各々の移送器は（１×Ｎ）スイッチマトリクスの別々のスイッチマトリクスに結合されている、請求項５８記載の遷移システム。
【請求項６４】  前記複数の放射パターン内の第２の放射パターン信号が縮小する一方で前記複数の放射パターン内の第１の放射パターン信号の放射振幅が拡張するような形で、前記制御信号が前記移相器を制御し、第１の放射パターン及び第２の放射パターンの拡張及び縮小が、２つの放射パターンのヌルを移動させることによって行なわれる、請求項６３記載の遷移システム。